(57)【要約】      （修正有）【課題】板の固定及び取り外しの作業が誰にでも容易で、ぶつかっても裂傷を負う恐れが少なくかつ製造コストが低く抑えることができる板固定用台座を提供する。【解決手段】頭頂部から十文字又は一文字に溝３を設けたゴム半球である半球部２と、前記半球部２の下部周囲に設けた円盤状のゴム板である円盤部４と、前記半球部２の裏面に設けたリング状の１又は複数のゴム突起であるエッジリング部を有することを特徴とする。【選択図】図１
0003152689.tif 000002
【実用新案登録請求の範囲】
【請求項１】
頭頂部から十文字又は一文字に溝を設けたゴム半球である半球部と、前記半球部の下部周囲に設けた円盤状のゴム板である円盤部と、前記半球部の裏面に設けたリング状の１又は複数のゴム突起であるエッジリング部を有することを特徴とする板固定用台座。
【考案の詳細な説明】
【技術分野】
【０００１】
本考案は、板固定用台座に関する。特に一時的に板を立てて固定するための板固定用台座に関する。
【背景技術】
【０００２】
災害時には体育館など広い空間に多数の世帯が避難して集団生活を送ることがある。敷物やテープにより個人または世帯のスペースを仕切って生活し、プライバシー保護のために仕切り板をおくことがある。仮設の更衣室などで他人の視線を遮るために間仕切りのパーテーションで囲むこともある。その際、板を立てて固定する必要がある。
【０００３】
板を一時的に固定するケースとしては、災害避難所等で所内の区分けをするためにベニア板や段ボール板などを固定する場合のほか、通路に道順や案内矢印や会場名などを記したボードなどを固定する場合や、展示する絵・書などの作品を固定する場合など、様々な状況がある。間仕切り板で空間を区分けをする場合は固定する台座で複数の板を接続するが、たとえば螺子で固定する金属製の接続具などがある（特許文献１参照）。その他、一般的に、風なので倒れないように重い金属製の角張った固定台座が使われている。
【先行技術文献】
【特許文献】
【０００４】
【特許文献１】特許第４１７３５２６号公報（図２）
【考案の概要】
【考案が解決しようとする課題】
【０００５】
しかし、上記文献に記載された接続具や従来の固定台座では、螺子止めなどの作業が必要で操作性が悪く、角に接触してけがをする可能性があり、またコストが高いという問題があった。
【０００６】
したがって、本考案の目的は、簡便で安全かつ安価である板固定用台座を提供することにある。
【課題を解決するための手段】
【０００７】
本考案の第１の態様は、上記目的を達成するため、頭頂部から十文字又は一文字に溝を設けたゴム半球である半球部と、前記半球部の下部周囲に設けた円盤状のゴム板である円盤部と、前記半球部の裏面に設けたリング状の１又は複数のゴム突起であるエッジリング部を有することを特徴とする板固定用台座を提供する。
【０００８】
本考案の第１の態様によれば、板の固定及び取り外しの作業が誰にでも容易で、ぶつかっても裂傷を負う恐れが少なくかつ製造コストが低く抑えることができる板固定用台座を提供することができる。
【考案の効果】
【０００９】
本考案の第１の態様によれば、簡便で安全かつ安価である。より詳細には、板の固定及び取り外しの作業が誰にでも容易で、ぶつかっても裂傷を負う恐れが少なくかつ製造コストが低く抑えることができる。形状が丸く、表面が角張っておらず、またゴム製であるので、足が台座にぶつかってもけがをしにくい。
【図面の簡単な説明】
【００１０】
【図１】本考案の板固定用台座の実施例１の斜視図である。
【図２】本考案の板固定用台座の実施例１の裏面図である。
【図３】本考案の板固定用台座の実施例１のＡ-Ａ´断面図である。
【図４】本考案の板固定用台座の実施例１のＢ-Ｂ´端面図である。
【図５】本考案の板固定用台座の実施例１の使用方法を示す図である。
【考案を実施するための形態】
【００１１】
以下、本考案の板固定用台座について、添付図面を参照して実施例を用いて本考案の好適な実施の形態を具体的に説明するが、本考案はこれらに限定されるものではない。
【実施例１】
【００１２】
｛構造｝
図１は、本考案の板固定用台座の実施例１の斜視図である。図２は、本考案の板固定用台座の実施例１の裏面図である。図３は、本考案の板固定用台座の実施例１のＡ-Ａ´断面図である。図４は、本考案の板固定用台座の実施例１のＢ-Ｂ´端面図である。本考案の実施例１の板固定用台座は、頭頂部から十文字又は１文字に溝（３）を設けたゴム半球である半球部（２）と、前記半球部（２）の下部周囲に設けた円盤状のゴム板である円盤部（４）と、前記半球部（２）の裏面に設けたリング状の１又は複数のゴム突起であるエッジリング部（５）を有する板固定用台座（１）である。より詳細には、球体を上下２つに分割した際の上部の半球部分である半球状のゴム塊である半球部（２）の底面の円周を円盤状のゴム板からなる鍔状の円盤部（４）が囲んでいて、半球部分には、頂点を９０度ずつ４つに分割する十文字の溝が、半球部分の頂点部から半球部分の下面部すなわち鍔状の円盤部（４）の上の部分まで設けてある。本実施例は、球体を上下２つに分割した際の上側の半球の分割面の周囲に鍔をつけた、ちょうど内部が詰まった帽子のような形状で、その頭頂部を縦半分横半分に切れ目を入れた形である。裏面は円平板で裏面全体に、外周に向け三角形のエッジを持つリングであるエッジリング部（５）が数周設けてある。本実施例は、全体がゴム製で、一体成型してある。本実施例では円盤部（４）には、アンカーなどを差し込む設けられた穴（６）が設けられているが、屋内用の板固定用台座では穴（６）を設けなくてもよい。穴（６）は、屋外であっても強風に曝される等、特に必要がある場合のためであって、通常は自重と裏面のエッジリング部（５）で十分対応できる。
【００１３】
本考案の実施例１の板固定用台座の大きさは、半球部（２）の半径が７ｃｍ、幅１ｃｍの十文字の溝（３）が、半球部（２）の下から０.５ｃｍの高さのところまで設けてあり、半球部（２）の下部を囲む帯（鍔）の部分である円盤部（４）は、幅が１．５ｃｍで、半球部分側である円盤部（４）の内側が、高さ１ｃｍで外側に向かって高さが徐々に減る。穴（６）は直径８ｍｍである。本実施例の板固定用台座の底面は直径１７ｃｍである。かかる大きさであると種々の厚さの間仕切りに対応でき、また安定性等の面からバランスが良いが、各部の大きさはこれに限定されない。たとえば、溝幅を０．８〜１．４ｃｍの任意の幅にしてもよい。また、直交する溝の幅を、一方の溝幅が０．８ｃｍ、他方の溝幅が１．２ｃｍとするように、幅が異なる溝としてもよい。
【００１４】
本考案の実施例１の板固定用台座は、天然ゴムとスチレンブタジエンゴムをブレンドしたゴムで金型成型により一体成型してある。したがって、硬化劣化と軟化劣化のバランスがとれ、長期間の利用により劣化しても型くずれしくにい。半球部は十文字に分割された４つの八分の１球部分でなる。本実施例では各八分の１球部分の全てがゴムであるが、それぞれ、内部の一部が空洞であってもよい。たとえば、それぞれ裏面から円筒状にゴムが充てんされていない部分を設けてもよい。これにより、必要なゴム量が少なくて済み、さらなるコストダウンを可能にする。
【００１５】
｛使用方法｝
図５は、本考案の板固定用台座の実施例１の使用方法を示す図である。本考案の実施例１の板固定用台座（１）は、半球側を上にして床や地面等に置いて、半球部（２）の十文字の溝（３）の一部または全部に段ボール等の間仕切り板（７）を挿入して使用する。図５は、間仕切り板（７）を溝（３）に挿入した板固定用台座（１）を斜め上から見下ろした図である。間仕切り板（７Ａ）の表面側と裏面側の両方にそれぞれ別の間仕切り板（７Ｂ、７Ｃ）の側面が接するように、十文字の溝（３）に挿入してある。本実施例は、溝（３）は十文字であるので１の間仕切り板に直角に他の間仕切り板を配置することができるので、必要に応じて空間を２〜４分割できる。本実施例では溝は十文字であるが、空間を左右２分割するだけで良い場合は、溝は一文字でもよい。
【００１６】
｛効果｝
本実施例によれば、板の固定及び取り外しの作業が誰にでも容易で、ぶつかっても裂傷を負う恐れが少なくかつ製造コストが低く抑えることができる。本実施例の板固定用台座は、形状が丸く、表面が角張っておらず、またゴム製であるので、足が台座にぶつかってもけがをしにくいので、骨が弱い高齢者や走り回る子供たちにも優しい。すなわち、本実施例によれば、簡便で安全かつ安価である。
【００１７】
また、怪我の心配がないだけでなく、形が崩れてしまうことがなく、弾力性があるので、物が当たっても、元の形に戻るため、耐久性に優れている。また、溝に板を挟むだけであるので、釘やネジ、接着剤などの固定用部品を用意する必要もなく、また、はじめから完成した形で製造されるので、立体的に組み立てる必要もない。保管時には、多数個でも、そのまま段ボール箱などに一緒に投げ入れておくだけで済む。また、ゴムの柔らかい風合いで安心感が持てる。
【００１８】
ゴム製で金型による一体成型で製造されるので、切削や溶接、面取りが不要で、製造コストや製造工程が少なくて済む。
【００１９】
ゴム製で裏面の接地部分が比較的大きく平坦であるため、追従性がよく、したがって、金属性のように床を滑ることがなく、斜めの床でも設置することができる。さらに、裏面には、外側から内側中央に向かって高さが徐々に減る傾斜面を有する楔形であるテーパー状の突起のエッジリングが固定台座裏面中央を中心に同心円状に設けてあるので、床と固定台座との間の摩擦力が高く、しかも複数個設けてあるので、非常にずれにくい。したがって、床が斜めでも安定して設置することができる。なお、ずれが生じにくい面上にのみ置くことが想定されるものの場合は、エッジリングは１つでもよい。
【００２０】
災害非難時に体育館などの広い空間を家族単位ごと等に仕切る手段として、テープを張ると上に物を置くだけで境界が分からなくなり、またけがをする恐れにある金具を使わず段ボールを積み上げると狭くなる。本実施例によれば、境界が分からなくなるおそれもなく、けがをする心配も解消され、狭くなることもない。
【００２１】
設置した位置から台座がずれると、災害非難時など狭い所に複数の人が仮設の間仕切り板を挟んで長時間過ごさなければならない場合、ちょっとしたずれでもトラブルになるケースがある。しかし、本実施例によれば、多少の応力を与えても床からずれることがなく、不本意なずれによるトラブルの発生が解消される。
【００２２】
一方、体育館などに仕切り板を仮設するときに、台座を床にネジなどで固定したり、組み立てたりする必要がなく、台座を置いて板の差込をするだけで設置が完了し、また、片付けも板の引抜と台座の回収だけですむので、ごみも出ず、誰でも容易に作業でき、非常に簡便である。
【００２３】
また、十文字に溝がつけてあるので、間仕切り板を直線状に接続する場合のみならず、Ｌ字状、Ｔ字状、十字状のいずれの形に連結する場合でも対応可能で、しかも、板を挟むだけで済む。半球体の形状であり一点に荷重が集中しないうえ、ゴムで摩擦力があり、さらに裏面の突起でも支えるので、倒れにくい。半球体の形状であることによって安定感がある。また、本実施例では、周囲につばが設けてあるので、座りが良く安定性においてより優れる。本実施例は、高さが約７ｃｍくらいであるが、ゴム製で十分な重量があるため、ひとの高さくらいの段ボールを挟んでも十分に支えられる。したがって、複数枚の板を挟んで多種多様な仕切りに用いることができるほか、道順や案内矢印の表示板、会場使用名などを記載したボード等を１枚固定するのにも利用することができる。また、絵や書などの作品を展示する展示ボードホルダーとして利用することもできる。
【００２４】
さらに、仕切り板の厚みが一定でなくても螺子止め等する必要がない。また、溝の幅に比べ厚みがややある板（ボード）であっても、台座を手で持ち、板を入れる溝の両脇を裏面方向に押して溝を開くと板を挟み込むことができる。したがって、使用できる板の厚みの許容範囲が広く、汎用性が高い。また、異種の板を使って間仕切りに使うことができ、便利である。
【００２５】
本実施例においては、天然ゴムとスチレンブタジエンゴムをブレンドした半球体であるので、弾性と摩擦力に優れ、応力に対してのズレが少なく、強度もあり衝撃にも強く、投げたり落下されたりしても壊れにくい。
【００２６】
本実施例においては、円盤部の部分に穴が設けてあるので、屋外で使用する際に穴にアンカーなどを指して地面に固定し安定性を増すことができる。したがって、イベントや催しなどの看板や案内板、仕切り板等を固定するのにも利用することができる。また、コマーシャルを印刷した段ボールを本実施例に差し込んで通路などにおくだけで簡単な宣伝もできる。
【００２７】
さらに、金属と異なり、ゴムは製造時に着色が容易であるので、多種の色の台座を揃えることができる。したがって、たとえば、同じフロアーで区域を区別したいときに、区域ごとにカラーの異なる台座を用いることにより、簡単に区域の違いを区別できる。
【００２８】
なお、本考案は、上記実施の形態に限定されず、その考案の趣旨を逸脱しない範囲で種々と変形実施が可能である。また、上記各実施の形態の構成要素を考案の趣旨を逸脱しない範囲で任意に組み合わせることができる。
【符号の説明】
【００２９】
１    板固定用台座
２    半球部
３    溝
４    円盤部
５    エッジリング部
６    穴
７    間仕切り板
【図１】
0003152689.tif 000003
【図２】
0003152689.tif 000004
【図３】
0003152689.tif 000005
【図４】
0003152689.tif 000006
【図５】
0003152689.tif 000007